(57)【要約】      （修正有）【課題】置物としても使用することができるブレスレットを提供し、腕に装着している時だけではなく、腕から外して台の上等に置いてもまた観者を楽しませることが出来る置物兼用ブレスレットを提供する。【解決手段】雌型ヒンジ部１１を備えた複数のベース１と、雄型ヒンジ部２１を備えた複数のジョイント２と、複数のバネ棒３と、複数の磁石４と、を備え、雌型ヒンジ部１１と雄型ヒンジ部２１にそれぞれ貫通孔１２、貫通孔２２を設け、貫通孔１２及び貫通孔２２にバネ棒３を挿入して雌型ヒンジ部１１と雄型ヒンジ部２１を係合することによりベース１とジョイント２を複数連結させて輪を形成する。さらに、ベース１に磁石４を埋め込むことで、磁力により前記輪を板状に固定する。【選択図】図３
0003179078.tif 000002
【実用新案登録請求の範囲】
【請求項１】
雌型ヒンジ部を備えた複数のベースと、雄型ヒンジ部を備えた複数のジョイントと、複数のバネ棒と、複数の磁石と、を備え、前記雌型ヒンジ部と前記雄型ヒンジ部に貫通孔を設け、前記貫通孔に前記バネ棒を挿入して前記雌型ヒンジ部と前記雄型ヒンジ部を係合することにより前記ベースと前記ジョイントを複数連結させて輪を形成し、前記ベースに前記磁石を埋め込み、磁力により前記輪を板状に固定できることを特徴とする置物兼用ブレスレット。
【請求項２】
雌型ヒンジ部を備えた複数のベースと、雄型ヒンジ部を備えた複数のジョイントと、複数のバネ棒と、複数の磁石と、前記ベースに取り付ける複数の装飾部材と、前記装飾部材を前記ベースに取り付けるための取付手段と、を備え、前記雌型ヒンジ部と前記雄型ヒンジ部に貫通孔を設け、前記貫通孔に前記バネ棒を挿入して前記雌型ヒンジ部と前記雄型ヒンジ部を係合することにより前記ベースと前記ジョイントを複数連結させて輪を形成し、前記ベースに前記磁石を埋め込み、磁力により前記輪を板状に固定でき、前記取付手段により前記装飾部材を前記ベースに取り付けることを特徴とする置物兼用ブレスレット。
【請求項３】
雌型ヒンジ部を備えた複数のベースと、雄型ヒンジ部を備えた複数のジョイントと、複数のバネ棒と、複数の磁石と、前記ベースに取り付ける複数の装飾部材と、複数のボルトと、を備え、前記雌型ヒンジ部と前記雄型ヒンジ部に貫通孔を設け、前記貫通孔に前記バネ棒を挿入して前記雌型ヒンジ部と前記雄型ヒンジ部を係合することにより前記ベースと前記ジョイントを複数連結させて輪を形成し、前記ベースに前記磁石を埋め込み、磁力により前記輪を板状に固定でき、前記ベースに前記ボルト用の貫通穴を設け、前記装飾部材に前記ボルト用のネジ切り穴を設け、前記ボルトを前記ベースに設けた前記貫通穴に挿入して前記装飾部材に設けた前記ネジ切り穴に合わせて締めることにより前記ベースに前記装飾部材を取り付けることを特徴とする置物兼用ブレスレット。
【考案の詳細な説明】
【技術分野】
【０００１】
本考案は、置物とブレスレットのいずれかの用途において使用できる置物兼用ブレスレットに関するものである。
【背景技術】
【０００２】
従来ブレスレットは、腕に装着した状態を想定してデザイン開発されており、腕から外した後のことはあまり考えられていなかった。ブレスレットを腕から外した後は、箱等に保管されることが一般的である。
【考案の概要】
【考案が解決しようとする課題】
【０００３】
ブレスレットを腕から外して箱等に保管する場合、ブレスレットが誰の目にも触れることのない期間が生じてしまう。そこで、本考案は、置物としても使用することができるブレスレットを提供し、腕に装着している時だけではなく、腕から外して台の上等に置いてもまた観者を楽しませることを課題とする。
【課題を解決するための手段】
【０００４】
上記課題を解決するため、本考案は次のような構成を有する。請求項1に記載の考案は、雌型ヒンジ部を備えた複数のベースと、雄型ヒンジ部を備えた複数のジョイントと、複数のバネ棒と、複数の磁石と、を備え、前記雌型ヒンジ部と前記雄型ヒンジ部に貫通孔を設け、前記貫通孔に前記バネ棒を挿入して前記雌型ヒンジ部と前記雄型ヒンジ部を係合することにより前記ベースと前記ジョイントを複数連結させて輪を形成し、前記ベースに前記磁石を埋め込み、磁力により前記輪を板状に固定できることを特徴とする置物兼用ブレスレットである。
【０００５】
請求項２に記載の考案は、雌型ヒンジ部を備えた複数のベースと、雄型ヒンジ部を備えた複数のジョイントと、複数のバネ棒と、複数の磁石と、前記ベースに取り付ける複数の装飾部材と、前記装飾部材を前記ベースに取り付けるための取付手段と、を備え、前記雌型ヒンジ部と前記雄型ヒンジ部に貫通孔を設け、前記貫通孔に前記バネ棒を挿入して前記雌型ヒンジ部と前記雄型ヒンジ部を係合することにより前記ベースと前記ジョイントを複数連結させて輪を形成し、前記ベースに前記磁石を埋め込み、磁力により前記輪を板状に固定でき、前記取付手段により前記装飾部材を前記ベースに取り付けることを特徴とする置物兼用ブレスレットである。
【０００６】
請求項３に記載の考案は、雌型ヒンジ部を備えた複数のベースと、雄型ヒンジ部を備えた複数のジョイントと、複数のバネ棒と、複数の磁石と、前記ベースに取り付ける複数の装飾部材と、複数のボルトと、を備え、前記雌型ヒンジ部と前記雄型ヒンジ部に貫通孔を設け、前記貫通孔に前記バネ棒を挿入して前記雌型ヒンジ部と前記雄型ヒンジ部を係合することにより前記ベースと前記ジョイントを複数連結させて輪を形成し、前記ベースに前記磁石を埋め込み、磁力により前記輪を板状に固定でき、前記ベースに前記ボルト用の貫通穴を設け、前記装飾部材に前記ボルト用のネジ切り穴を設け、前記ボルトを前記ベースに設けた前記貫通穴に挿入して前記装飾部材に設けた前記ネジ切り穴に合わせて締めることにより前記ベースに前記装飾部材を取り付けることを特徴とする置物兼用ブレスレットである。
【考案の効果】
【０００７】
本考案の置物兼用ブレスレットは、腕に装着している時だけではなく、腕から外して様々な形態の置物に変形させて台の上等に置いてもまた観者を楽しませることができる。
【図面の簡単な説明】
【０００８】
【図１】図１はベース１の正面図、平面図、側面図である。
【図２】図２はジョイント２の正面図、側面図である。
【図３】図３は図１のベース１、図２のジョイント２、バネ棒３、磁石４の装着図である。
【図４】図４はボルト用の貫通穴１４を設けたベース１を図３の状態にし、ボルト６で装飾部材５を取り付ける図である。
【図５】図５はブレスレット状態（Ａ）、中間状態（Ｂ）、置物状態（Ｃ）の置物兼用ブレスレットである。（実施例１）
【考案を実施するための形態】
【０００９】
以下、本考案を実施するための形態を、図面を参照しながら説明する。
【００１０】
図１はベース１の正面図、平面図、側面図である。ベース１には、雌型ヒンジ部１１、貫通孔１２、磁石を埋め込むための穴１３が設けられている。雌型ヒンジ部１１はベース１の両側面に設けられ、凹型を形成している。貫通孔１２はベース１の両側面の上下に一つずつ設けられている。穴１３はベース１の中央部に設けられており、貫通はしていない。なお、穴１３の位置は中央部に限定されるわけではなく、穴１３の容積を小さくして複数設けてもよい。
【００１１】
図２はジョイント２の正面図、側面図である。ジョイント２には、雄型ヒンジ部２１、貫通孔２２が設けられている。雄型ヒンジ部２１はジョイント２の両側面に設けられており、半円柱型の曲面を形成している。貫通孔２２は、雄型ヒンジ部２１を雌型ヒンジ部１１に係合した場合に貫通孔１２と中心線が重なるように設けられている。
【００１２】
図３は図１のベース１、図２のジョイント２、バネ棒３、磁石４の装着図である。バネ棒は時計のバンド等に使用されている一般的なバネ棒である。磁石４はネオジウム磁石等一般的なものでよい。以下、装着する過程を説明する。ジョイント２の貫通孔２２にバネ棒３を挿入する。次に、ジョイント２の雄型ヒンジ部２１をベース１の雌型ヒンジ部１１に係合し、バネ棒３をベース１の貫通孔１２に挿入する。そして、磁石４をベース１の穴１３に埋め込む。これらの過程を繰り返し、複数のベース１を連結して輪を形成する。ジョイント２とベース１はバネ棒を軸にして１８０度回転可能であり、前記輪を縦に引き伸ばして両端のジョイント２とベース１を回転させて、磁力により前記輪を板状に固定することができる。なお、ベース１の形状は図１の形状に限らず、装飾を施してもよい。また、前記輪を板状に固定することができるのであれば、磁石を埋め込んでいないベース１をいくつか連結させてもよく、いくつかの異なる形状のベース１を組み合わせて連結させてもよい。前記輪を腕に装着すればブレスレットとして機能し、前記輪を板状に固定して台の上等に置けば置物として機能する。なお、前記輪を板状に固定する際に固定するベース１の組み合わせを変えることにより、様々な形態の置物に変形させることができる。
【００１３】
図４はボルト用の貫通穴１４を設けたベース１を図３の状態にし、ボルト６で装飾部材５を取り付ける図である。図４においては貫通穴１４はベース１の中心を中心とした正方形の各頂点に設けられているが、貫通穴１４の数や配置は図４のものに限定されるわけではなく、ベース１に装飾部材５を取り付けることができればよい。ボルト６は市販されている一般的なボルトである。装飾部材５のネジ切り穴５１はベース１の貫通穴１４に対応して設けられている。ボルト６は貫通穴１４を貫通してネジ切り穴５１に取り付けられる。装飾部材５は各ベース１に取り付けられる。装飾部材５が取り付けられたベース１とジョイント２を複数連結させて輪を形成する。前記輪は上記と同様にして板状に固定することができる。なお、ベース１の形状は図４の形状に限らない。また、前記輪を板状に固定することができるのであれば、磁石を埋め込んでいないベース１をいくつか連結させてもよく、いくつかの異なる形状のベース１を組み合わせて連結させてもよい。さらに、装飾部材５は図４の形状に限らず、前記輪を板状に固定して台の上等に置くことができる形状であればよい。すなわち、装飾部材５はデザイン性の優れた特殊な形状をしたものやアルファベット等の文字を付したもの等であってもよい。前記輪を腕に装着すればブレスレットとして機能し、前記輪を板状に固定して台の上等に置けば置物として機能する。なお、前記輪を板状に固定する際に固定するベース１の組み合わせを変えることにより、様々な形態の置物に変形させることができる。
【実施例１】
【００１４】
本考案の一実施例を図５に示す。図５はブレスレット状態（Ａ）、中間状態（Ｂ）、置物状態（Ｃ）の置物兼用ブレスレットである。前記置物兼用ブレスレットは、８個のベース１と、８個のジョイント２と、各ベース１につき磁石４と装飾部材５と４本のボルト６、各ジョイント２につき２本のバネ棒を備えている。ベース１とジョイント２はアルミニウム製であって、フライス盤等を用いて加工した。バネ棒３はステンレス製のツバ無しのものである。磁石４はネオジウム磁石である。装飾部材５はアルミニウム製であって、滑らかな曲面をワイアーカットにより形成した。本実施例では、凸曲面を有するものと凹曲面を有するものの二種類の装飾部材５が交互に配置されている。ボルト６は鉄製の六角穴付低頭ボルトである。ブレスレット状態の置物兼用ブレスレットＡを縦に引き伸ばすと、ブレスレット状態と置物状態の中間状態の置物兼用ブレスレットＢのようになる。置物兼用ブレスレットＢをさらに縦に引き伸ばすと、磁力により固定された置物兼用ブレスレットＣとなる。置物兼用ブレスレットＣは置物として使用することができ、台の上等に置いて観者を楽しませることができる。なお、本実施例においては、置物兼用ブレスレットＢを縦に引き伸ばして固定する際に固定するベース１の組み合わせを変えても、同一形態の置物兼用ブレスレットＣしかできない。装飾部材５の配置を本実施例と異なる配置に変えて形成した置物兼用ブレスレットであれば、置物兼用ブレスレットＢを縦に引き伸ばして固定する際に固定するベース１の組み合わせを変えることにより、様々な形態の置物に変形させることができる。
【符号の説明】
【００１５】
１    ベース
１１  雌型ヒンジ部
１２  貫通孔
１３  磁石用の穴
１４  ボルト用の貫通穴
２    ジョイント
２１  雄型ヒンジ部
２２  貫通孔
３    バネ棒
４    磁石
５    装飾部材
５１  ネジ切り穴
６    ボルト
Ａ    ブレスレット状態の置物兼用ブレスレット
Ｂ    中間状態の置物兼用ブレスレット
Ｃ    置物状態の置物兼用ブレスレット
【図１】
0003179078.tif 000003
【図２】
0003179078.tif 000004
【図３】
0003179078.tif 000005
【図４】
0003179078.tif 000006
【図５】
0003179078.tif 000007